(57)【要約】ワイヤレス・ネットワークでショート・テキスト・メッセージまたはその他のメッセージの配信を制御するための方法の中で、ソース端末は、ネットワークのショート・メッセージング・サービス（「ＳＭＳ」）を介してメッセージを受信側ワイヤレス装置に送信する。このメッセージはメッセージ識別子、受信側ワイヤレス装置の通信識別子、およびメッセージ・コンテントを含む。最初に、メッセージがそのメッセージをブロックするための基準に当てはまるかどうかが判定される。基準に当てはまる場合、そのメッセージはブロックされる。例えば、メッセージ識別子が許可済み識別子ではない場合、そのメッセージの送信はブロックされてもよい。代替として、メッセージ識別子が未許可識別子である場合、そのメッセージはブロックされてもよい。これは、メッセージ識別子をワイヤレス装置の識別子記録に対して相互参照することによって判定されてもよい。識別子記録は、データ・エントリ、リスト、またはメッセージをスクリーニング／ブロッキングすることを目的とするワイヤレス装置に関連したその他の記録である。
2009534935.tif 000002
【特許請求の範囲】
【請求項１】
ネットワークを介して少なくとも１つのワイヤレス装置と通信するための方法であって、
メッセージが、ワイヤレス装置に関連した少なくとも１つのメッセージ・ブロッキング基準に当てはまるかどうかを判定するステップであって、前記メッセージが、ワイヤレス・ネットワークのメッセージング・サービスを介した前記ワイヤレス装置への送信のために構成されているステップと、前記メッセージが前記基準に当てはまる場合に、
前記メッセージを、前記ワイヤレス装置への送信および前記ワイヤレス装置上での表示のうちの少なくとも１つからブロックするステップとを備える方法。
【請求項２】
前記メッセージのメッセージ識別子を前記ワイヤレス装置のための識別子記録に参照するステップであって、前記メッセージ・ブロッキング基準が、前記識別子記録の許可済み識別子部分の中で一覧化されていない前記メッセージ識別子、および前記識別子記録の未許可識別子部分の中で一覧化されている前記メッセージ識別子のうちの選択されたものを備えるステップをさらに備える請求項１に記載の方法。
【請求項３】
前記識別子記録が前記ワイヤレス・ネットワークのスイッチ部分に記憶され、
前記メッセージ識別子が前記識別子記録の前記許可済み識別子部分の中で参照されていない限り、前記メッセージが前記スイッチにおいて前記ワイヤレス装置への送信からブロックされる請求項２に記載の方法。
【請求項４】
前記識別子記録が前記ワイヤレス・ネットワークのスイッチ部分に記憶され、
前記メッセージ識別子が前記識別子記録の前記未許可識別子部分の中で参照されている場合に、前記メッセージが前記スイッチにおいて前記ワイヤレス装置への送信からブロックされる請求項２に記載の方法。
【請求項５】
前記識別子記録が前記ワイヤレス装置に記憶され、
前記メッセージ識別子が前記識別子記録の前記許可済み識別子部分の中で参照されていない限り、前記メッセージが前記ワイヤレス装置上での表示からブロックされる請求項２に記載の方法。
【請求項６】
前記識別子記録が前記ワイヤレス装置に記憶され、
前記メッセージ識別子が前記識別子記録の前記未許可識別子部分の中で参照されている場合に、前記メッセージが前記ワイヤレス装置上での表示からブロックされる請求項２に記載の方法。
【請求項７】
前記メッセージがショート・テキスト・メッセージであり、前記メッセージング・サービスがショート・メッセージング・サービスであり、前記ワイヤレス装置が携帯電話である請求項２に記載の方法。
【請求項８】
前記メッセージ識別子が前記識別子記録の前記許可済み識別子部分の中で参照されていない限り、前記メッセージが、前記ワイヤレス装置への送信および前記ワイヤレス装置上での表示のうちの少なくとも１つからブロックされる請求項７に記載の方法。
【請求項９】
ワイヤレス装置へのメッセージの配信を制御するための方法であって、
メッセージ識別子をワイヤレス装置の識別子記録に参照するステップであって、前記メッセージ識別子が、ワイヤレス・ネットワークのメッセージング・サービスを介した前記ワイヤレス装置への送信のために構成されたメッセージに関連しているステップと、
前記識別子記録に参照されている前記メッセージ識別子に基づいて、前記メッセージをブロックするかどうかを判定するステップとを備える方法。
【請求項１０】
前記識別子記録が、許可済み識別子部分および未許可識別子部分のうちの少なくとも１つを含み、
前記識別子記録が前記許可済み識別子部分を含む場合、前記メッセージ識別子が前記許可済み識別子部分の中で参照されていない限り、前記メッセージがブロックされ、
前記識別子記録が前記未許可識別子部分を含む場合、前記メッセージ識別子が前記未許可識別子部分の中で参照されている場合に、前記メッセージがブロックされる請求項９に記載の方法。
【発明の詳細な説明】
【技術分野】
【０００１】
本発明は通信に関し、より詳細にはワイヤレス通信システムに関する。
【背景技術】
【０００２】
多くのワイヤレス通信ネットワーク（例えば携帯電話ネットワークなど）は現在、ショート・メッセージング・サービス（「ＳＭＳ」）を含んでいる。ＳＭＳによって、適切に構成されたワイヤレス・デバイスを持つユーザは、短い英数字のメッセージ（「テキスト・メッセージ」）を、お互いにネットワークを介して送信することができる。テキスト・メッセージを送信するために、このメッセージは、受信側と交信するための通信識別子とともに、ユーザのワイヤレス・デバイスに入力される。この通信識別子は、受信側の携帯電話番号であるか、または特定のネットワークおよびＳＭＳシステムによって例えばテキスト・メッセージングのために指定される合理化された番号またはアドレスなどのメッセージング・アドレスまたは番号であってもよい。ネットワークは、受信側に経路設定するためにテキスト・メッセージを処理する。メッセージの長さは、通常８０〜１６０字に制限されている。
【０００３】
一般的に言って、テキスト・メッセージを送信するために必要とされるのは、有効な受信側の通信識別子だけなので、ネットワーク・ユーザは別のユーザに対して、匿名または求められていないテキスト・メッセージを送信することができる。例えばユーザは、電話帳、購入したメール・リストまたはインターネットからの収集物などのソースから、通信識別子を得ることができる可能性がある。したがって、電子メール通信の状況におけるスパム、および公衆交換電話網（「ＰＳＴＮ」）の状況における電話勧誘員からの求められていない電話のように、ＳＭＳユーザは欲しくないテキスト・メッセージを受信してしまう。そのようなメッセージは、一般に本質的に不愉快であることに加えて、例えば帯域幅やメモリ使用が無駄にされることなど、ユーザの通信資源を拘束する。さらに、受信側ユーザは求められていない、または欲しくないテキスト・メッセージを読んで削除するために時間をかけなければならない。
【発明の開示】
【課題を解決するための手段】
【０００４】
本発明の実施形態は、例えばワイヤレス装置へのメッセージの配信を制御するために、ネットワークを介してワイヤレス装置と通信するための方法に関する。「ワイヤレス装置」とは、例えば携帯電話、ワイヤレスＰＤＡ、「３Ｇ」または「４Ｇ」規格に対応したものなどの高速データ転送機能を備えたワイヤレス・デバイス、コンピュータ端末を備えた「ＷｉＦｉ」などを意味する。標準的な方法では、ソース端末は、例えばショート・メッセージング・サービスなどのネットワーク・メッセージング・サービスを介して、ワイヤレス装置にメッセージを送信する（ソース端末は別のワイヤレス装置であるか、またはネットワークを介して通信するために構成された、何らかのその他のデバイスであってもよい）。本方法によって、最初にメッセージがワイヤレス装置に付随するメッセージ・ブロッキング基準に当てはまるかどうかが判定されるが、例えばこのブロッキング基準は、ワイヤレス装置で、またはワイヤレス装置とともに使用するために指定される。メッセージ・ブロッキング基準は、メッセージがブロックされるべきかどうかを自動的に判断するために使用される（例えばワイヤレス装置のユーザによって確立される）条件または規則である。メッセージが基準に当てはまる場合、このメッセージはブロックされる。
【０００５】
別の実施形態では、メッセージがメッセージ・ブロッキング基準に当てはまるかどうかを判定するために、メッセージ識別子が受信側のワイヤレス装置の識別子記録の中で含有されているか、一覧化されているか、またはさもなければそこに参照されているかどうかが判定される。このメッセージ識別子はコードであるか、またはメッセージおよび／またはメッセージのソースを固有に識別する、ワイヤレス装置に送信されるメッセージに関連したその他の識別子である。例えば、このメッセージ識別子は、受信側のワイヤレス装置へのメッセージの送信を開始したソース端末の通信識別子であってもよい。識別子記録は、データ・エントリ、リスト、またはメッセージをスクリーニング／ブロッキングすることを目的とする受信側のワイヤレス装置に関連したその他の記録である。メッセージ識別子が識別子記録に参照されているかどうかを判定することに基づいて、メッセージはブロックされてもよい。
【０００６】
別の実施形態では、メッセージ識別子が識別子記録の「許可済み識別子」部分に参照されていない限り、メッセージはブロックされる。識別子記録の許可済み識別子部分は、受信側ユーザのワイヤレス装置にメッセージを送信することを許可された１つまたは複数の端末の通信識別子のリストを含む。メッセージの通信識別子が許可済み識別子の中で参照されていない場合、メッセージはブロックされる。
【０００７】
別の実施形態では、メッセージ識別子が識別子記録の「未許可識別子」部分に参照されている場合、メッセージはブロックされる。識別子記録の未許可識別子部分は、受信側ユーザのワイヤレス装置へメッセージを送信することからブロックされている１つまたは複数の端末の通信識別子のリストを含むが、例えばそれらの端末はワイヤレス装置へメッセージを送信することが許可されない。メッセージの通信識別子が未許可識別子の中で参照されている場合、メッセージはブロックされる。メッセージの通信識別子が未許可識別子の中で参照されていない場合、メッセージは送信または表示が許可される。
【０００８】
別の実施形態で、メッセージは、ワイヤレス装置に送信されることからブロックされる。そのような場合、識別子記録はネットワーク・スイッチ構成要素に、そのスイッチで実行される方法によって記憶されてもよい。「スイッチ」とは、（単独で、または別の構成要素とともに）ワイヤレス装置へのメッセージの送信を制御するネットワーク構成要素のことを意味する。例えば、このスイッチは無線ネットワーク・コントローラ、移動スイッチング・センター、基地局、ＳＭＳセンターまたはその他のものであってよい。
【０００９】
別の実施形態で、メッセージは受信側のワイヤレス装置によって受信される。しかしながら、メッセージの通信識別子が（ｉ）識別子記録の未許可識別子部分の中で一覧化されている場合、または（ｉｉ）識別子記録の許可済み識別子部分の中で一覧化されていない場合、メッセージはワイヤレス装置上に表示されることからブロックされる。そのような場合、識別子記録はワイヤレス装置に、そのワイヤレス装置で実行される方法によって記憶されてもよい。
【００１０】
本発明は、添付の図面を参照しながら、以下の非限定的な実施形態の説明を読むことから、よりよく理解されるであろう。
【発明を実施するための最良の形態】
【００１１】
図１〜３を参照すると、システム１０は、受信側ワイヤレス装置１６へのメッセージ１４の配信を制御するためにワイヤレス通信ネットワーク１２上で、またはその一部として実装される。ソース端末１８は、ネットワークのメッセージング・サービス（「ＳＭＳ」）２０を介して、ワイヤレス装置１６へメッセージ１４を送信する。メッセージ１４はメッセージ識別子（「メッセージＩＤ」）２２、受信側ワイヤレス装置１６の通信識別子（「通信ＩＤ」）２４およびメッセージ・コンテント・データ２６を含む。最初に、メッセージ１４が１つのメッセージ・ブロッキング基準か、または場合によっては２つ以上のメッセージ・ブロッキング基準に当てはまるかどうかが判定される。メッセージ１４がそれらに当てはまる場合、メッセージはブロックされる。例えば、メッセージＩＤ２２はワイヤレス装置１６の識別子記録（「ＩＤ記録」）２８ａに相互参照されてもよい。ＩＤ記録２８ａはデータ・エントリ、リスト、またはメッセージをスクリーニング／ブロッキングすることを目的とするワイヤレス装置１６に関連したその他の記録である。メッセージＩＤ２２が識別子記録２８ａの「許可済み識別子」部分３０に参照されない場合、メッセージはワイヤレス装置への送信についても、またはワイヤレス装置上での表示についてもブロックされる。代替として、メッセージ１４は、メッセージＩＤ２２がＩＤ記録２８ａの「未許可識別子」部分３２に参照される場合、ブロックされてもよい。
【００１２】
本発明のシステム１０は、様々な種類のワイヤレス・ネットワークを実装するために適している。例えばネットワーク１２は、１つまたは複数の固定された基地局（「ＢＳ」）３６ａ、３６ｂに接続された無線ネットワーク・コントローラ（「ＲＮＣ」）および／または移動スイッチング・センター（「ＭＳＣ」）３４を有するＣＤＭＡベースの１ｘ−ＥＶＤＯ通信ネットワークであってもよい。基地局３６ａ、３６ｂは基地局コントローラ、様々なトランシーバ、およびワイヤレス装置１６との無線通信のためのアンテナを各々有する。無線装置１６は、例えば携帯電話、ワイヤレスＰＤＡ、「３Ｇ」または「４Ｇ」規格に対応したものなどの高速データ転送機能を備えたワイヤレス・デバイス、コンピュータ端末を備えた「ＷｉＦｉ」などを含んでもよい。ＲＮＣ３４は基地局を相互接続し、ワイヤレス装置１６への、およびワイヤレス装置１６からの呼び出し、およびその他のデータ転送を確立するために必要なシグナリング機能を実行する。ＲＮＣ３４はまた、ネットワーク１２のワイヤレス／無線エンドとネットワークのワイヤライン部分との間のインタフェースとしても機能する。例えばＲＮＣ３４は、パケット・データ・サービング・ノード（「ＰＤＳＮ」）４０により、インターネット・プロトコル（「ＩＰ」）ベースのネットワークまたはその他のコア・パケット・データ・ネットワーク３８に接続されてもよい。ＲＮＣ３４はまた、ワイヤレス装置１６が、例えば公衆地上通信路の電話への呼び出しなどのＰＳＴＮ呼び出しの発信および受信のようなＰＳＴＮサービスにアクセスすることを可能にするＰＳＴＮゲートウェイ４４を通じて、公衆交換電話網（「ＰＳＴＮ」）４２に接続されてもよい。コア・データ・ネットワーク３８は、長距離のパケット・データのワイヤライン伝送のために、および／またはＲＮＣ３４を別の移動スイッチング・センターに、および図示されていないネットワークＡＡＡ（認証、許可、アカウンティング・）モジュールなどのさらなるネットワーク構成要素に相互接続するために使用される。ネットワーク１２はまた、セキュリティ・ファイヤウォール４８などを通じて、公衆パケット・データ・ネットワーク４６（例えばインターネットなど）に接続されてもよい。パケット・データ・ネットワーク３８、４６の間での高速データ伝送のために（例えばウェブ閲覧、リアルタイムのファイル転送または大型のデータ・ファイルのダウンロードなどを促進するために）、ネットワーク１２はインターネット・プロトコル（「ＩＰ」）を使用してもよく、ここでデータは複数のアドレス指定されたデータ・パケットに分割される。さらに、音声データの伝送のためにＶｏＩＰ（ボイス・オーバＩＰ）が使用されてもよい（ＶｏＩＰによって、アナログのオーディオ信号は捕獲され、デジタル化され、非音声データなどのパケットに分割される。）。音声データ・パケットと非音声データ・パケットは共にワイヤレス・ネットワーク１２を介して発信および経路設定され、そこでそれらのデータ・パケットは、それらがアドレス指定されたワイヤレス装置１６によって受信され、再び組み立てられる。
【００１３】
無線周波数（「ＲＦ」）通信を実行するために、ワイヤレス・ネットワーク１２は、ＣＤＭＡ（符号分割多元接続）拡散スペクトル多重化方式を使用してもよい。ここで、データおよびその他の信号は基地局３６ａ、３６ｂからワイヤレス装置１６へ、順方向リンクとして知られている第１周波数帯域幅（例えば、第１指定周波数を中心とした１．２５ＭＨｚ帯域幅など）の間で送信される。ワイヤレス装置から基地局への送信は、逆方向リンクとして知られている第２周波数帯域幅（例えば第２指定周波数を中心とした１．２５ＭＨｚ帯域幅など）の間で行われる。一般に、各ワイヤレス装置には常に全帯域幅を割り当てられ、ここで個々のワイヤレス装置からの信号は、符号化方式を使用して互いに区別されている。順方向リンクと逆方向リンクとは各々、主に音声データを運搬するための物理または論理トラヒック・チャネルと、主に制御信号、同期信号およびＣＤＭＡまたはその他の通信を実施するために必要なその他の信号を運搬するシグナリング／制御チャネルとを複数含むことができる。ワイヤレス・ネットワークは、各々が基地局によってサービスを受ける連続したセル、および／または典型的には単一の基地局で支援される異なるアンテナ／受信機によってサービスを受けるセルの部分であるセクタに、地理的に分割されてもよい。
【００１４】
メッセージング・サービス２０は、ワイヤレス・ユーザがネットワーク１２の中で互いに非音声メッセージを送信することを可能にするネットワーク・サービスまたは構成要素である。メッセージング・サービス２０はショート・メッセージング・サービス、改良型メッセージング・サービス、マルチメディア・メッセージング・サービスなどであってよい。ショート・メッセージング・サービスでは、ユーザは、例えば典型的には８０〜１６０ほどのＡＳＣＩＩまたはその他の英数字のメッセージなどの短い英数字メッセージ１４（「テキスト・メッセージ」）を、埋め込まれたフォーマット、画像またはグラフィックを伴わずに、ネットワーク１２を介して互いに送信する。ユーザがテキスト・メッセージ１４を送信するために、メッセージは受信側のワイヤレス装置の通信識別子２４とともに、ユーザのワイヤレス装置に入力される。通信識別子２４は、受信側のワイヤレス装置の電話番号であるか、または特定のネットワークおよびＳＭＳシステムによって例えばテキスト・メッセージングのために指定される合理化された番号またはアドレスなどのアドレス、番号またはその他の識別子であってもよい。メッセージは一旦送信されると、ショート・メッセージ・サービス・センター（「ＳＭＳＣ」）５０によって受信される。ネットワークがどのように構成されるかによって、ＳＭＳＣはＲＮＣ３４、コアＩＰネットワーク３８、またはネットワーク１２の中のその他のものに接続されてもよい。ＳＭＳＣ５０は、適切な受信側ワイヤレス装置１６にメッセージ１４を向ける。これを行うために、ＳＭＳＣはローミング・ユーザを見つけ出すために、ＲＮＣ３４のホーム・ロケーション・レジスタ（「ＨＬＲ」）（不図示）にＳＭＳ要求を送信する。ＨＬＲは一旦要求を受信すると、送信のために適切な基地局にメッセージを向けるために、受信側の状態（例えば非アクティブか、アクティブかなど）および受信側がローミングしている場所についての情報で、ＳＭＳＣ５０に応答する。受信側の状態が「非アクティブ」である場合、ＳＭＳＣはしばらくの間メッセージを保持する。受信側が自分のワイヤレス装置にアクセスするとき、ＨＬＲはＳＭＳ通知をＳＭＳＣに送信し、ＳＭＳＣは配信を試みる。このためにＳＭＳＣは、ショート・メッセージ配信ポイント対ポイント形式で、ＲＮＣおよび／または基地局にメッセージを転送する。受信側のワイヤレス装置は、呼び出されるか、その他の方法で交信され、応答する場合、メッセージが配信される。ＳＭＳＣは、メッセージが受信側に受信されたという確認を受信して、そのメッセージを「送信済み」として分類し、再度送信を試みることはない。
【００１５】
言及されたように、メッセージング・サービス２０は改良型メッセージング・サービス（「ＥＭＳ」）であってもよい。ＥＭＳは、特定のネットワーク上で利用可能なＳＭＳに対するアプリケーション・レベルの拡張機能である。ＥＭＳ対応型ワイヤレス装置は、特殊なテキスト・フォーマット（ボールドまたはイタリックなど）、アニメーション、写真、アイコン、音響効果および特殊な呼び出し音を有するメッセージを送受信することができる。ＥＭＳフォーマットを支援しないデバイスに送信されるＥＭＳメッセージはＳＭＳ送信として表示され、例えば英数字の文字だけが表示される。
【００１６】
メッセージング・サービス２０はまた、マルチメディア・メッセージング・サービス（「ＭＭＳ」）であってもよい。ＭＭＳは、ワイヤレス・ネットワークを介してテキスト・メッセージだけでなく、様々な種類のマルチメディア・コンテント（例えば画像、音声および／またはビデオ・クリップなど）を送信するためのＥＭＳに類似した技術である。動作の中で、ＭＭＳデータの流れは、加入者がワイヤレス装置のＭＭＳクライアント・プログラムを使用して、１つまたは複数の受信側に対してＭＭＳメッセージを作成して、アドレス指定し、送信することで開始する。ＭＭＳクライアントからホームＭＭＳセンター（「ＭＭＳＣ」）への最初の発信は、特殊化されたコマンドおよび符号化を用いるＨＴＴＰを使用して達成される。ＭＭＳメッセージを受信すると、受信側ＭＭＳＣは、ＳＭＳ通知、ＨＴＴＰプッシュなどを使用して、受信側のワイヤレス装置に通知を送信する。配信は即時に行うこともできるし、後で行われることもできる。前者の場合、受信側ワイヤレス装置のＭＭＳクライアントはＭＭＳ通知を受信し、その後即時に（ユーザの介入または認識を伴わずに）、通知を送信したＭＭＳＣからＭＭＳメッセージを取り出す。取り出した後で、加入者には新たに到着したＭＭＳメッセージの存在を知らされる。後で行われる配信では、ＭＭＳクライアントはＭＭＳメッセージが入手可能であることを加入者に知らせ、加入者がＭＭＳメッセージを取り出すかどうか、およびいつそれを行うのかを選択することができるようにする。
【００１７】
本発明の方法およびシステム１０は、例えばＲＮＣ３４、ＳＭＳ２０、基地局１６ａ、１６ｂ、またはメッセージもしくは呼び出しの経路設定機能が実行されるネットワーク中の別の場所など、ネットワーク・スイッチ上の適切な場所で制御モジュール５２として実装されてもよい。制御モジュール５２はスクリプト、コンピュータ・プログラムまたはコンピュータ・プログラムの組み合わせ、ハードウェアモジュールまたは制御モジュールが実装されているネットワーク構成要素の機器および制御機能とインタフェースされるハードウェア／ソフトウェア・モジュールであってもよい。制御モジュール５２は、ネットワーク上でユーザに送信されるメッセージ１４、またはサービスに加入しているユーザに送信される最低限のメッセージをレビューまたはスクリーニングし、場合によっては１つまたは複数のブロッキング基準に基づいてメッセージをブロックするように構成されている。このプロセスの例は、図１および２に示されている。ステップ１００で、ソース端末１８がネットワークのＳＭＳ２０を介してメッセージ１４を受信側ワイヤレス装置１６に送信すると、制御モジュール５２は、メッセージ１４がメッセージ・ブロッキング基準に当てはまるかどうかを判定する。それを行うために、制御モジュール５２は、メッセージ１４の１つまたは複数の構成要素またはその部分をブロッキング基準に対して比較するように構成されている。メッセージは基準に当てはまる場合、ステップ１０２でブロックされる。メッセージ・ブロッキング基準は、メッセージがブロックされるべきかどうかを判断するために、受信側ワイヤレス装置のユーザによって確立される条件または規則である。メッセージはブロッキング基準に当てはまらない場合、ステップ１０４で通常通りに送信または表示される。
【００１８】
メッセージ１４がブロッキング基準に当てはまるかどうかを判定する際に使用するために、制御モジュール５２は複数のＩＤ記録２８ａ〜２８ｃを含むメモリ装置および／またはデータベース（「ＤＢ」）５４を有してもよい。各ＩＤ記録２８ａ〜２８ｃはデータ・エントリ、リスト、またはメッセージをスクリーニング／ブロッキングする目的でワイヤレス装置１６に関連したその他の記録である。典型的に、ＩＤ記録２８ａ〜２８ｃは、ＩＤ記録がそれぞれ関連しているワイヤレス装置のユーザによって確立または指定されたブロッキング基準を含む。各ＩＤ記録２８ａ〜２８ｃはまた、それが関連したワイヤレス装置の通信識別子２４か、またはＩＤ記録をワイヤレス装置、ワイヤレス装置アカウントまたはユーザに結び付ける何らかのその他の識別子も含む。記録２８ａ〜２８ｃにアクセスするために、ソース端末１８がメッセージ１４を送信すると、制御モジュール５２はメッセージの中の受信側通信ＩＤ２４（例えば、メッセージがアドレス指定されたワイヤレス装置の通信識別子）をＩＤ記録２８ａ〜２８ｃに相互参照する。
【００１９】
メッセージ１４をブロックするための基準は、例えば（ｉ）メッセージ１４は未許可のソースから来たものである、または（ｉｉ）メッセージ１４は許可済みソースから来たものではない、といったものであってもよい。理解されるように、前者の場合、すべてのメッセージは、それらが特に未許可であるとみなされていない限り、表示または送信が許される。後者の場合、すべてのメッセージは、それらが特に許可済みであるとみなされていない限りブロックされる。ブロッキング基準が未許可または許可済みのメッセージに関連する場合、ワイヤレス装置１６のためのＩＤ記録２８ａは許可済み識別子リスト３０か、または未許可識別子リスト３２を含んでもよい。許可済み識別子リスト３０は、ワイヤレス装置１６のユーザがメッセージをワイヤレス装置１６に送信するために許可されているものとして特に指定している、１つまたは複数のワイヤレス装置通信識別子（例えば電話番号など）を含む。ユーザが、例えば家族、友人、同僚または仕事仲間によって使用されているものなどの特定のソース端末１８からメッセージを受信したいと思う場合、ユーザは許可済みソース端末の通信識別子を入力するために、ワイヤレス装置１６上のインタフェース・モジュール５６にアクセスする。次いでインタフェース・モジュール５６は、許可済み通信識別子をワイヤレス装置１６のためのＩＤ記録２８ａに入力するために、制御モジュール５２と通信する。典型的にインタフェース・モジュール５６は、ＩＤ記録２８ａからの通信識別子のレビュー、編集、追加、除去の機能を実行するための、ワイヤレス装置の既存の電子メニュー・システムに組み込まれたスクリプトまたはコンピュータ・プログラムである。
【００２０】
メッセージ１４が許可済みソースから来たものではない（例えば、ＩＤ記録２８ａ〜２８ｃが各々「許可済み識別子」リスト３０を含む場合など）というメッセージ・ブロッキング基準に当てはまるかどうかを判定するためのプロセスの例は、図３に示されている。最初に、ソース端末１８はメッセージ１４を送信する。メッセージは、メッセージＩＤ２２（例えば、ソース端末１８の通信識別子など）、受信側ワイヤレス装置１６の通信ＩＤ２４およびメッセージ・コンテント２６を含む（理解されるように、メッセージＩＤ２２および受信側通信ＩＤ２４は、メッセージの別々のシグナリング部分の中か、またはメッセージ・コンテントと分かれた別々のシグナリング・チャネルの中にさえ含まれてもよい。例示を目的として、これらの要素は本明細書では、単一のメッセージ構造の中に含まれるものとして扱われている。）。ステップ１０６で、制御モジュール５２は、受信側ワイヤレス装置１６に関連したＩＤ記録２８ａを見つけ出すために、メッセージ１４の中の受信側通信ＩＤ２４をＩＤ記録２８ａ〜２８ｃに相互参照する。ステップ１０８で、制御モジュール５２は、メッセージＩＤ２２がＩＤ記録２８の中の許可済み識別子リスト３０中で含有、一覧化、そうでなければ参照されているかどうかを判定する。そうであれば、ステップ１１０で、メッセージ１４の送信は通常通りに継続する。そうでない場合、ステップ１１２でメッセージ１４の送信はブロックされる。任意で、メッセージがブロックされる場合、制御モジュール５２はステップ１１４で、メッセージがブロックされた、および／または受信されなかったということを示す承認メッセージをソース端末１８へ送信することを開始してもよい。
【００２１】
ブロッキング基準が未許可メッセージに関連する場合、ワイヤレス装置１６のためのＩＤ記録２８ａは未許可識別子リスト３２を含む。未許可識別子リスト３２は、ワイヤレス装置１６にメッセージを送信することを許されていないものとして指定された、１つまたは複数のワイヤレス装置通信識別子（例えば電話番号など）を含む。ユーザは、例えば広告主によって使用されるものなどの特定のソース端末１８からメッセージを受信したくないと思う場合、未許可ソース端末の通信識別子を入力するために、ワイヤレス装置上のインタフェース・モジュール５６にアクセスする。次いでインタフェース・モジュール５６は、未許可通信識別子をワイヤレス装置１６のためのＩＤ記録２８ａに入力するために、制御モジュール５２と通信する。ここで、許可済み通信識別子の場合と同様に、インタフェース・モジュール５６は、ユーザが識別子を手動で入力することを必要とせずに、許可済みまたは未許可の識別子を指定することができるようにするための合理化された機能を含んでもよい。例えば、インタフェース・モジュール５６は、メッセージが表示される場所からアクセスすることが可能な「ブロック」機能または「友人」機能を含んでもよい。したがってメッセージが受信されると、ユーザはメッセージを閲覧したうえで「ブロック」を選択してもよく、制御モジュール５２は、そのメッセージのメッセージＩＤ２２をＩＤ記録２８ａの未許可識別子リスト３２に自動的に追加する。代替としてユーザは、制御モジュール５２が、そのメッセージのメッセージＩＤ２２をＩＤ記録２８ａの許可済み識別子リスト３０に追加するように、「友人」を選択してもよい。
【００２２】
メッセージが未許可リスト３２に参照されているかどうかを判定することは、許可済みリスト３０の場合と同様である。受信側ワイヤレス装置１６に関連したＩＤ記録２８ａを見つけ出した後、制御モジュール５２は、メッセージＩＤ２２がＩＤ記録２８の中の未許可識別子リスト３２の中で含有、一覧化、そうでなければ参照されているかどうかを判定する。そのようになされていない場合、メッセージ１４の送信は通常通りに継続する。そのようになされている場合、メッセージ１４の送信はブロックされる。
【００２３】
図１に示されているように、本発明の方法およびシステム１０は、ワイヤレス装置１６上で完全に実装されてもよい。ここでインタフェース・モジュール５６は、ワイヤレス装置のＩＤ記録２８ａを含むメモリ装置および／またはデータベース５８を含む。メッセージが表示される前に、ワイヤレス装置１６がメッセージを受信すると、インタフェース・モジュール５６はメッセージがブロッキング基準に当てはまるかどうかを判定する。基準に当てはまる場合、メッセージはワイヤレス装置に表示されることはない。基準に当てはまらない場合、メッセージの表示（またはメッセージが表示のために入手可能であることをユーザに知らせること）が通常通りに開始される。ブロックされたメッセージは、ユーザが任意でアクセスおよびレビューするために、「ブロック済み」または「ジャンク」ディレクトリに保存されることが可能である。
【００２４】
メッセージ・ブロッキング基準は、ソース端末１８がワイヤレス装置１６にメッセージを送信するために許可されているものとして、または許可されていないものとして指定されているかどうか以外の要素に基づいていてもよい。例えば、この基準は成人向けコンテント、広告テキストまたはその他のキー・ワードについてのスクリーニングなど、メッセージのコンテントに関連していてもよい。また複数のメッセージ・ブロッキング基準が使用されてもよく、その他のものではない特定の基準に当てはまるメッセージは、ユーザまたはその他のものによって指定されるように、異なる方法で扱われることが可能である。例えば、ワイヤレス装置は未許可識別子リストと許可済み識別子リストとの両方を有することが可能である。未許可のメッセージはブロックされる。許可されたメッセージは、直ちに表示／送信される。例えば特に未許可というわけではないが、明確に許可もされていないソースから来たメッセージなど、どちらの基準にも当てはまらないメッセージは、必要に応じて受信側ユーザによって後でレビューされるために、第２または非優先のファイルの中に記憶されることが可能である。
【００２５】
本発明の精神および範囲から逸脱することなく、ワイヤレス・ネットワークでショート・メッセージの配信を制御するための上述の方法の中で特定の変更が行われてもよいことから、上の説明または添付の図面の中で示されている内容のすべては、単に本明細書での発明の概念を示す例として解釈されるべきであり、本発明を限定するものとして解釈されるべきではないということが意図されている。
【図面の簡単な説明】
【００２６】
【図１】本発明の様々な実施形態による、ワイヤレス・ネットワークの中でメッセージの配信を制御するためのシステムの概略図である。
【図２】図１に示されているシステムの実施形態の動作を示す流れ図である。
【図３】図１に示されているシステムの実施形態の動作を示す流れ図である。
【図１】
2009534935.tif 000003
【図２】
2009534935.tif 000004
【図３】
2009534935.tif 000005
【国際調査報告】
2009534935.tif 000006
2009534935.tif 000007